(57)【要約】【課題】パラメータの単位を、単位表示ランプを使用せずに７セグメント表示器のみで表すとともに、７セグメント表示器の個数を増やすことなくパラメータの数値の有効桁を確保でき、低コストで小形のパラメータ表示装置を提供する。【解決手段】パラメータ表示部１の表示内容を、単位表示有りか単位表示無しかを選択する単位表示選択部２を備え、７セグメント表示部は単位表示選択部２により単位表示無しが選択された場合は全桁に数値情報表示し、単位表示選択部２により単位表示有りが選択された場合は最右桁の７セグメント表示器１４に単位を表す文字記号を表示し、残りの７セグメント表示器１１、１２、１３に数値情報を表示する。【選択図】図１
2008233657.tif 000002
【特許請求の範囲】
【請求項１】
横に並んだ複数個の７セグメント表示器（１１、１２、１３、１４）を有する７セグメント表示部（１）を備え、数字表示や前記数字表示以外の記号表示により電気機器内のパラメータまたは前記電気機器の状態を表示するパラメータ表示装置において、
前記７セグメント表示部（１）で表示する表示データの単位表示有り無しを選択する単位表示選択部（２）を備え、
前記７セグメント表示部（１）は、
前記単位表示選択部（２）により単位表示有りが選択された場合は前記数字表示の最下位桁の前記７セグメント表示器（１４）に単位を表現する前記数字表示以外の記号で表示し前記最下位桁以外の前記７セグメント表示器（１１、１２、１３）に数値情報を数字表示する第１の表示形態と、
一方、前記単位表示選択部（２）により単位表示無しが選択された場合はすべての桁の前記７セグメント表示器（１１、１２、１３、１４）に数値情報を数字で表示する第２の表示形態を備えたことを特徴とするパラメータ表示装置。
【請求項２】
前記７セグメント表示部（１）は、
前記単位表示選択部（２）により単位表示有りが選択された場合は前記第１の表示形態と前記第２の表示形態を予め設定した時間間隔で交互に切替えることを特徴とする請求項１に記載のパラメータ表示装置。
【請求項３】
横に並んだ複数個の７セグメント表示器（１１、１２、１３、１４）を有する７セグメント表示部（１）を備え、数字表示や前記数字表示以外の記号表示により電気機器内のパラメータまたは前記電気機器の状態を表示するパラメータ表示装置において、
前記７セグメント表示部（１）で表示する表示データの単位表示有り無しを選択する単位表示選択部（２）を備え、
前記７セグメント表示部（１）は、
前記単位表示選択部（２）により単位表示有りが選択された場合は前記数字表示の下位２桁の前記７セグメント表示器（１３、１４）に単位を表現する前記数字表示以外の記号で表示し前記下位２桁以外の前記７セグメント表示器（１１、１２）に数値情報を数字表示する第３の表示形態と、
一方、前記単位表示選択部（２）により単位表示無しが選択された場合はすべての桁の前記７セグメント表示器（１１、１２、１３、１４）に数値情報を数字で表示する第４の形態を備えたことを特徴とするパラメータ表示装置。
【請求項４】
前記７セグメント表示部（１）は、
前記単位表示選択部（２）により単位表示有りが選択された場合は前記第３の表示形態と前記第４の表示形態を予め設定した時間間隔で交互に切替えることを特徴とする請求項３に記載のパラメータ表示装置。
【発明の詳細な説明】
【技術分野】
【０００１】
本発明は、複数個の７セグメント表示器を備え、複数桁の数字表示によりインバータなどの電気機器内のパラメータまたは電気機器の状態を表示するパラメータ表示装置に関する。
【背景技術】
【０００２】
従来のインバータのパラメータ表示装置は、パラメータの値を表す複数の７セグメント表示器と、パラメータの単位を表す複数のランプで構成されている（例えば、特許文献１参照）。
図７は、従来技術を示すインバータのパラメータ表示装置の構成図である。
図７において、１はパラメータ表示部、１１、１２、１３、１４は７セグメント表示器、４１は単位表示ランプである。
以下、図７を用いて、従来技術によるインバータのパラメータ表示装置の構成について説明する。
パラメータ表示部１は、複数の７セグメント表示器１１、１２、１３、１４と、複数の単位表示ランプ４１から構成される。
７セグメント表示器１１は、パラメータの最上位桁の数値を表示する。７セグメント表示器１２は、パラメータの２桁目の数値を表示する。同様にして、７セグメント表示器１１〜１４全体として、パラメータの値を４桁で表示する。７セグメント表示器１１、１２、１３、１４は、それぞれ８個の発光ダイオードを有しており、各々の点灯、消灯の組合せにより、数字、文字、小数点を表現することができる。横に並べて構成されている４個の７セグメント表示器１１、１２、１３、１４の表示内容を制御することで、パラメータ表示部１は４桁の数値情報を表示する。
単位表示ランプ４１は、７セグメント表示器１１〜１４に表示されるパラメータの単位を表示する。
【０００３】
また、従来のパラメータ表示装置は、液晶ディスプレイを用いてパラータの値を表す複数の７セグメント表示部と、パラメータの単位を表す部分で構成され、パラメータの単位を選択できるようにしている（例えば、特許文献２参照）。
【０００４】
このように、従来のインバータのパラメータ表示装置は、７セグメント表示器１１、１２、１３、１４と単位表示ランプ４１を組み合わせて、インバータのパラメータの値とその単位を表示する。あるいは、液晶ディスプレイを用いている。
【特許文献１】特開２００１−２５２６４号公報（第２図）
【特許文献２】特開２００２―８１９８５号公報（第２−５図）
【発明の開示】
【発明が解決しようとする課題】
【０００５】
しかしながら、従来のインバータのパラメータ表示装置は、単位を表すために個別ランプが複数必要となるため、パラメータ表示装置の小型化やコストダウンができないという問題があった。７セグメントＬＥＤ表示器の場合、７セグメント表示器の個数を増やさずに特許文献２に示すような単位表示およびその切替えが出来ないといった問題があった。
【０００６】
本発明はこのような問題点に鑑みてなされたものであり、単位表示ランプを使用せずに表示データの単位を表すとともに、７セグメント表示器の個数を増やさずに表示データの数値の有効桁を確保することができ、パラメータ表示装置の小型化やコストダウンを可能とするパラメータ表示装置を提供することを目的とする。
【課題を解決するための手段】
【０００７】
上記問題を解決するため、請求項１に記載の発明は、横に並んだ複数個の７セグメント表示器を有する７セグメント表示部を備え、数字表示や前記数字表示以外の記号表示により電気機器内のパラメータまたは前記電気機器の状態を表示するパラメータ表示装置において、前記７セグメント表示部で表示する表示データの単位表示有り無しを選択する単位表示選択部を備え、前記７セグメント表示部は、前記単位表示選択部により単位表示有りが選択された場合は前記数字表示の最下位桁の前記７セグメント表示器に単位を表現する前記数字表示以外の記号で表示し前記最下位桁以外の前記７セグメント表示器に数値情報を数字表示する第１の表示形態と、一方、前記単位表示選択部により単位表示無しが選択された場合はすべての桁の前記７セグメント表示器に数値情報を数字で表示する第２の表示形態を備えたことを特徴としている。
【０００８】
また、請求項２に記載の発明は、請求項１に記載のパラメータ表示装置において、前記７セグメント表示部は、前記単位表示選択部により単位表示有りが選択された場合は前記第１の表示形態と前記第２の表示形態を予め設定した時間間隔で交互に切替えることを特徴としている。
【０００９】
また、請求項３に記載の発明は、横に並んだ複数個の７セグメント表示器を有する７セグメント表示部を備え、数字表示や前記数字表示以外の記号表示により電気機器内のパラメータまたは前記電気機器の状態を表示するパラメータ表示装置において、前記７セグメント表示部で表示する表示データの単位表示有り無しを選択する単位表示選択部を備え、前記７セグメント表示部は、前記単位表示選択部により単位表示有りが選択された場合は前記数字表示の下位２桁の前記７セグメント表示器に単位を表現する前記数字表示以外の記号で表示し前記下位２桁以外の前記７セグメント表示器に数値情報を数字表示する第３の表示形態と、一方、前記単位表示選択部により単位表示無しが選択された場合はすべての桁の前記７セグメント表示器に数値情報を数字で表示する第４の形態を備えたことを特徴としている。
【００１０】
また、請求項４に記載の発明は、請求項３に記載のパラメータ表示装置において、前記７セグメント表示部は、前記単位表示選択部により単位表示有りが選択された場合は前記第３の表示形態と前記第４の表示形態を予め設定した時間間隔で交互に切替えることを特徴としている。
【発明の効果】
【００１１】
本発明によると、単位表示ランプを使用せずにパラメータの単位を表すことができ、７セグメント表示器の個数を増やさずにパラメータの数値の有効桁を確保することができ、低コストで小型のパラメータ表示装置を提供することができる。更に、複数個の７セグメント表示器で単位を表すようにすることにより表現し難い単位も表現できる。
【発明を実施するための最良の形態】
【００１２】
以下、本発明の実施の形態について図を参照して説明する。
【実施例１】
【００１３】
図１は、本発明を示すパラメータ表示装置の構成図である。
図１において、２は単位表示選択部である。なお、従来技術を示す図７と同じ構成要素のものは図７と同じ説明符号を付すものとし、その説明は省略する。
本発明が従来技術と異なる点は、以下のとおりである。
すなわち、本発明のパラメータ表示装置は、パラメータ表示部１の表示内容を、「単位表示無し」か「単位表示有り」かを選択する単位表示選択部２を備え、パラメータ表示部１は、単位表示選択部２により「単位表示無し」が選択された場合には４桁全ての７セグメント表示器１１、１２、１３、１４に数値情報を表示し、一方、単位表示選択部２により「単位表示有り」が選択された場合は最右桁、すなわち最下位桁の７セグメント表示器１４に単位を表す文字を表示し、残りの７セグメント表示器１１、１２、１３に数値情報を表示するようにしている点である。
【００１４】
以下、図１を用いて本発明のパラメータ表示装置の構成をより詳細に説明する。
パラメータ表示部１は７セグメント表示器４個を横に並べて構成されている。７セグメント表示器１１、１２、１３、１４は、それぞれ８個の発光ダイオードを有しており、各々の点灯、消灯の組合せにより、数字と文字記号と小数点を表現することができる。７セグメント表示器１１、１２、１３、１４の表示内容を単位表示選択部２の設定に基づいて制御することで、パラメータ表示部１は４桁の数値情報、または３桁の数値情報と文字記号の組み合わされた情報を表示することができる。
【００１５】
図２は、本発明のパラメータ表示装置において単位表示無しを選択した場合の表示例である。なお、図１と同じ構成要素のものは図１と同じ説明符号を付すものとし、その説明は省略する。
電流値「１２．３４Ａ」を表示する場合、７セグメント表示器１１には「１」、７セグメント表示器１２には「２．」、７セグメント表示器１３には「３」、７セグメント表示器１４には「４」を表示する。
【００１６】
図３は、本発明のパラメータ表示装置において単位表示有りを選択した場合の表示例である。
電流値「１２．３４Ａ」を表示する場合、７セグメント表示器１１には「１」、７セグメント表示器１２には「２．」、７セグメント表示器１３には「３」、７セグメント表示器１４には電流の単位アンペアを示す「Ａ」を表示する。
【００１７】
次に、別の例を示す。
図４は、本発明のパラメータ表示装置において単位表示有りを選択した場合の表示例である。
電圧値「１２．３４Ｖ」を表示する場合、７セグメント表示器１１には「１」、７セグメント表示器１２には「２．」、７セグメント表示器１３には「３」、７セグメント表示器１４には電流の単位ボルトを示す「Ｕ」を表示する。
【００１８】
なお、単位表示有りを選択した場合、図３または図４と図２の表示が適当な時間間隔で交互に表示されるようにしてもよいし、交互に単位表示有りという設定を単位表示選択部２に別途設けても良い。さらに、７セグメント表示器１３、１４は数値データ表示と単位表示を交互に表示するようにしてもよい。また、２色表示可能な７セグメント表示器を用いている場合は、単位表示と数値データ表示で色を変えても良い。
【実施例２】
【００１９】
本実施例が第１実施例と異なる点は、単位を表す文字記号を２桁で表すようにしている点である。
７セグメント表示器１１、１２、１３、１４の表示内容を単位表示選択部２の設定に基づいて制御することで、パラメータ表示部１は４桁の数値情報、または２桁の数値情報と２桁の単位を示す記号の組み合わされた情報を表示することができる。
【００２０】
図５は、本発明のパラメータ表示装置において単位表示有りを選択した場合の表示例である。
周波数「１２．３４Ｈｚ」を表示する場合、つぎの（１）（２）の表示を交互に表示する。
・  ７セグメント表示器１１には「１」、７セグメント表示器１２には「２．」、７セグメント表示器１３には「３」、７セグメント表示器１４には「４」の表示
・  ７セグメント表示器１１には「１」、７セグメント表示器１２には「２．」、７セグメント表示器１３には周波数の単位ＨｚのＨを示す「Ｈ」、７セグメント表示器１４には単位Ｈｚのｚを示す「コ」を表示
【００２１】
図６は、本発明のパラメータ表示装置において単位表示有りを選択した場合の表示例である。
パーセント「１２．３４％」を表示する場合、つぎの（３）（４）の表示を交互に表示する。
・  ７セグメント表示器１１には「１」、７セグメント表示器１２には「２．」、７セグメント表示器１３には「３」、７セグメント表示器１４には「４」の表示
・  ７セグメント表示器１１には「１」、７セグメント表示器１２には「２．」、７セグメント表示器１３にはパーセントの単位％の左の０を示す「０」、７セグメント表示器１４にはパーセントの単位％の左の０を示す「０」を表示
【００２２】
以上述べたように本実施例に係るパラメータ表示装置は単位表示選択部２を備えるようにしているので、単位表示ランプを使用せずにパラメータの単位を表すことができ、セグメント表示器の個数を増やさずにパラメータの数値の有効桁を確保することができ、低コストで小型のパラメータ表示装置を提供することができる。また、単位表示選択部２により単位表示の有無を切り替えることによって、細かい設定や監視を必要とする熟練ユーザには単位表示無しのパラメータ表示を、誤操作や誤認識を防止したい操作に不慣れなユーザには単位表示有りのパラメータ表示をそれぞれ提供することができる。
【産業上の利用可能性】
【００２３】
本発明は、インバータのパラメータ表示装置に限らず数値データの表示とその単位を示すことが要求されるあらゆる表示装置に適用可能である。
【図面の簡単な説明】
【００２４】
【図１】本発明を示すパラメータ表示装置の構成図
【図２】本発明のパラメータ表示装置において単位表示無しを選択した場合の表示例
【図３】本発明のパラメータ表示装置において単位表示有りを選択した場合の表示例
【図４】本発明のパラメータ表示装置において単位表示有りを選択した場合の表示例
【図５】本発明のパラメータ表示装置において単位表示有りを選択した場合の表示例
【図６】本発明のパラメータ表示装置において単位表示有りを選択した場合の表示例
【図７】従来技術を示すインバータのパラメータ表示装置の構成図
【符号の説明】
【００２５】
１  パラメータ表示部
２  単位表示選択部
１１、１２、１３、１４  ７セグメント表示器
４１  単位表示ランプ  
【図１】
2008233657.tif 000003
【図２】
2008233657.tif 000004
【図３】
2008233657.tif 000005
【図４】
2008233657.tif 000006
【図５】
2008233657.tif 000007
【図６】
2008233657.tif 000008
【図７】
2008233657.tif 000009